(57)【要約】【課題】横胴縁と縦胴縁との連結作業がきわめて簡単且つ確実にでき、縦胴縁によって断熱性能の向上及び結露発生の防止を図ることができる外装材の取付方法及びその取付構造を提供する。【解決手段】壁本体１の屋外側Ａの面にＣチャンネル２Ａよりなる横胴縁２を取り付け、横胴縁２よりも屋外側Ａに縦胴縁３を配置し、次いで横胴縁２と縦胴縁３との交差部分に胴縁連結金具４を配置して、胴縁連結金具４に設けた嵌め込み部５を縦胴縁３に嵌め込むと共に胴縁連結金具４に設けた係止部６を横胴縁２に係止した後、縦胴縁３に対して外装材を取り付ける。【選択図】　　　　図１
2004143875.tif 000002
【特許請求の範囲】
【請求項１】
建築物の壁本体に外装材を取り付ける方法において、壁本体の屋外側の面にＣチャンネルよりなる横胴縁を取り付け、横胴縁よりも屋外側に縦胴縁を配置し、次いで横胴縁と縦胴縁との交差部分に胴縁連結金具を配置して、胴縁連結金具に設けた嵌め込み部を縦胴縁に嵌め込むと共に胴縁連結金具に設けた係止部を横胴縁に係止した後、縦胴縁に対して外装材を取り付けることを特徴とする外装材の取付方法。
【請求項２】
建築物の壁本体に外装材を取り付ける構造において、壁本体の屋外側の面に取り付けられるＣチャンネルよりなる横胴縁と、横胴縁よりも屋外側に配置され且つ外装材が取り付けられる縦胴縁と、横胴縁と縦胴縁との交差部分に配置されて上記横胴縁に係止される係止部と上記縦胴縁に嵌め込まれる嵌め込み部とが一体に設けられた胴縁連結金具とを具備してなることを特徴とする外装材の取付構造。
【請求項３】
嵌め込み部の両側に左右一対の係止部がそれぞれ連設されていることを特徴とする請求項２記載の外装材の取付構造。
【請求項４】
係止部は、横胴縁を構成するＣチャンネルの上端リップ部及び下端リップ部の各背面にそれぞれ係止可能な上下複数の抜け防止片を備え、上側の抜け防止片又は下側の抜け防止片のいずれか一方が上下方向に撓み可能となっていることを特徴とする請求項２又は請求項３記載の外装材の取付構造。
【請求項５】
嵌め込み部は、縦胴縁の３面を囲むコ字状に形成されていると共に、縦胴縁に対してビス等で固定される固定部を備えていることを特徴とする請求項２又は請求項３記載の外装材の取付構造。
【発明の詳細な説明】
【０００１】
【発明の属する技術分野】
本発明は、外装材の取付方法及びその取付構造に関するものである。
【０００２】
【従来の技術】
従来から、外装材を壁本体に固定するための方法として、溶接固着方法（例えば特許文献１参照）と、ボルト止めによる固着方法が提案されている。前者の場合、壁本体の屋外側の面に鉄製の縦胴縁を配置し、縦胴縁と対向する壁本体の一部に穴をあけて壁下地の一部を露出させ、壁本体の穴を貫通する支持金具の一端を壁下地に対して溶接等で固定すると共に、支持金具の他端を縦胴縁に対して溶接等で固定した後、縦胴縁に対して鉄製の横胴縁を溶接等で固定し、この横胴縁に外装材を固定するようにしている。
【０００３】
【特許文献１】
特許第３２９２８２５号公報
【０００４】
【発明が解決しようとする課題】
ところが、上記特許文献１にみられる従来例では、横胴縁と縦胴縁とを溶接で固定しているため、溶接作業に手間と時間がかかり、作業性が低下するだけでなくコストがかさむという問題を有している。さらに溶接を行なうため、木製の胴縁を使用することは不可能であり、そのために胴縁の種別選択範囲の制約を受けるという問題や、鉄製の胴縁が熱橋となるため断熱性能の低下及び結露の発生を招くといった問題も有している。
【０００５】
本発明は、上記の従来例の問題点に鑑みて発明したものであって、その目的とするところは、横胴縁と縦胴縁との連結作業がきわめて簡単且つ確実にでき、縦胴縁によって断熱性能の向上及び結露発生の防止を図ることができる外装材の取付方法及びその取付構造を提供することにある。
【０００６】
【課題を解決するための手段】
上記課題を解決するために本発明のうち請求項１記載の発明にあっては、壁本体１の屋外側Ａの面にＣチャンネル２Ａよりなる横胴縁２を取り付け、横胴縁２よりも屋外側Ａに縦胴縁３を配置し、次いで横胴縁２と縦胴縁３との交差部分に胴縁連結金具４を配置して、胴縁連結金具４に設けた嵌め込み部５を縦胴縁３に嵌め込むと共に胴縁連結金具４に設けた係止部６を横胴縁２に係止した後、縦胴縁３に対して外装材１８を取り付けることを特徴としている。
【０００７】
また請求項２記載の発明にあっては、建築物の壁本体１に外装材１８を取り付ける構造において、壁本体１の屋外側Ａの面に取り付けられるＣチャンネル２Ａよりなる横胴縁２と、横胴縁２よりも屋外側Ａに配置され且つ外装材１８が取り付けられる縦胴縁３と、横胴縁２と縦胴縁３との交差部分に配置されて上記横胴縁２に係止される係止部６と上記縦胴縁３に嵌め込まれる嵌め込み部５とが一体に設けられた胴縁連結金具４とを具備してなることを特徴としている。
【０００８】
このような方法及び構成によって、横胴縁２と縦胴縁３とを胴縁連結金具４を用いて係止固定でき、従来のような溶接による固定を行なわなくてもよいので、横胴縁２と縦胴縁３との連結作業がきわめて簡単且つ確実なものとなる。また縦胴縁３として鉄製以外に木製のものも使用可能となるため、縦胴縁３の種別選択範囲が広がるだけでなく、縦胴縁３によって外装材１８の背面の通気性が良くなり、断熱性能の向上及び結露発生の防止を図ることができる。
【０００９】
また請求項３記載の発明は、請求項２において、嵌め込み部５の両側に左右一対の係止部６，６がそれぞれ連設されていることを特徴としており、このように構成することで、縦胴縁３を挟んでその両側で係止部６，６が横胴縁２に係止固定されることとなり、横胴縁２に対する係止部６の係止箇所が増え、確実で且つバランスの良い係止状態が得られるようになる。
【００１０】
また請求項４記載の発明は、請求項２又は請求項３において、係止部６は、横胴縁２を構成するＣチャンネル２Ａの上端リップ部７及び下端リップ部８の各背面７ｂ，８ｂにそれぞれ係止する上下複数の抜け防止片１１，１２を備え、上側の抜け防止片１１又は下側の抜け防止片１２のいずれか一方が上下方向Ｂに撓み可能となっていることを特徴としており、このように構成することで、胴縁連結金具４の係止部６を引掛け係止によってＣチャンネル２Ａの上端リップ部７及び下端リップ部８に取り付け可能となるため、リップ部にビス穴などを穿設する必要がなく、しかも上側の抜け防止片１１又は下側の抜け防止片１２の一方を上下方向Ｂに撓み可能としたことで、抜け防止片１１（又は１２）を上端リップ部７（又は下端リップ部８）に対して容易に係止させることができるようになる。
【００１１】
また請求項５記載の発明は、請求項２又は請求項３において、嵌め込み部５は、縦胴縁３の３面を囲むコ字状に形成されていると共に、縦胴縁３に対してビス等で固定される固定部１５を備えていることを特徴としており、このように構成することで、コ字状の嵌め込み部５を縦胴縁３に対して容易に嵌め込むことができ且つビスで縦胴縁３に対して固定されるので、縦胴縁３に対する取付剛性が十分に高められるようになる。
【００１２】
【発明の実施の形態】
以下、本発明を添付図面に示す実施形態に基づいて説明する。
【００１３】
図１は外装材１８を壁本体１に取り付けた状態を説明する断面図、図２は胴縁連結金具４の説明図である。建築物の壁は、壁本体１、Ｃチャンネル２Ａよりなる横胴縁２、縦胴縁３、胴縁連結金具４、外装材１８等で構成されている。なお壁本体１は、柱、間柱、壁下地、壁パネル等からなる。外装材１８は特に限定されず、例えば金属サイディングなども広く含まれる。
【００１４】
横胴縁２は、鉄製のＣチャンネル２Ａ（Ｃ形軽量形鋼）からなり、図１に示すように、垂直部２ａの上フランジ２ｂの上端リップ部７と下フランジ２ｃの下端リップ部８とを屋外側Ａに向けた状態で、Ｃチャンネル２Ａの垂直部２ａが壁本体１の屋外側Ａの面に固定されるようになっている。
【００１５】
縦胴縁３は、図１、図２に示す例では断面矩形状の木製胴縁からなり、横胴縁２よりも屋外側Ａに立てた状態で、胴縁連結金具４を介して横胴縁２に取り付けられるようになっている。なお縦胴縁３として木製のものを例示するが、鉄製のＣチャンネル等であってもよい。
【００１６】
上記胴縁連結金具４は、図２に示すように、横胴縁２に係止される係止部６と、縦胴縁３に嵌め込まれて固定される嵌め込み部５とが一体に形成されている。
この胴縁連結金具４は、横胴縁２と縦胴縁３との交差する部分に適宜配置される。
【００１７】
ここで、胴縁連結金具４の係止部６は、横胴縁２を構成するＣチャンネル２Ａの上端リップ部７及び下端リップ部８の各前面７ａ，８ａにそれぞれ当接する上下複数の当接片９，１０と、上端リップ部７及び下端リップ部８の各背面７ｂ，８ｂにそれぞれ係止する上下複数の抜け防止片１１，１２とで構成され、上側の抜け防止片１１のみが上下方向Ｂに撓み可能となっている。なお、下側の抜け防止片１２のみを撓み可能とすることも可能である。ここでは、上側の抜け防止片１１は、上下方向Ｂに撓み可能に切り起こされたフ字状バネ片１３と、フ字状バネ片１３の上端に設けた係止片１４とが一体に形成されている。係止片１４の先端は斜め下後方に延出するガイド片１７となり、ガイド片１７が上端リップ部７に当たることでフ字状バネ片１３が下方に撓んで係止片１４が上端リップ部７の背面７ｂに引掛かる構造となっている。
【００１８】
上記係止部６の側方には嵌め込み部５が連設されている。嵌め込み部５は、縦胴縁３の３面を囲むコ字状に形成されていると共に、縦胴縁３に対してビス等で固定される固定部１５が設けられている。固定部１５にはビス穴１５ａが穿設され、ビス（図示せず）をビス穴１５ａから縦胴縁３に打入することで、嵌め込み部５が縦胴縁３に対して固定係止されるようになっている。さらに嵌め込み部５と縦胴縁３との間には図２（ｂ）に示すように、隙間Ｓが確保されており、さらに嵌め込み部５の一部を内側に切り起すことによって縦胴縁３に弾接する弾接部１６が形成されている。ここでは嵌め込み部５のビス穴１５ａの両側位置で内方に向かってハ字状に切り起こされた弾接部１６ａと、嵌め込み部５の両側面において内方に向かって切り起こされた一対の弾接部１６ｂとを備えている。そして嵌め込み部５と縦胴縁３との間の隙間Ｓは嵌め込み部５を縦胴縁３に挿入しやすくする働きをし、弾接部１６ａ，１６ｂは縦胴縁３の寸法変動を吸収する働きをする。
【００１９】
次に、壁を施工する手順の一例を説明する。柱、間柱、壁下地、壁パネル等からなる壁本体１に対してＣチャンネル２Ａよりなる横胴縁２を固定する。次いで、横胴縁２よりも屋外側Ａに縦胴縁３を立て、横胴縁２と縦胴縁３との交差部分に胴縁連結金具４を配置し、胴縁連結金具４に設けた係止部６を横胴縁２の上端リップ部７及び下端リップ部８に対して係止する。このとき最初に下側の当接片１０と下側の抜け防止片１１とを下端リップ部８に引掛け係止した状態とし、その後、上側の当接片９が上端リップ部７の前面７ａに当たるまで上側の抜け防止片１１を上端リップ部７に向かって押し付ける。これによりフ字状バネ片１３が下方に撓んで係止片１４が上端リップ部７の背面７ｂに移動し、フ字状バネ片１３のバネ復帰力で係止片１４が上端リップ部７の背面７ｂに係止された状態（図１の状態）となる。これにより、胴縁連結金具４は係止部６を介して横胴縁２に堅固に保持された状態となる。一方、コ字状の嵌め込み部５を縦胴縁３に嵌め込んでビスで嵌め込み部５を縦胴縁３に対して固定する。なおこの嵌め込み部５を縦胴縁３に嵌め込む作業は、係止部６を横胴縁２に係止する作業の前或いは後のいずれでも可能である。これにより、嵌め込み部５が縦胴縁３に止めつけられる。しかる後に、固定金具１９を用いて縦胴縁３に対して外装材１８を固定する。
本例の固定金具１９は、プレート状の金具本体１９ａの前面にＬ形保持部１９ｂと逆Ｌ形保持部１９ｃとが突設され、金具本体１９ａを縦胴縁３に釘５０で固定し、上側の外装材１８の下端をＬ形保持部１９ｂに上から嵌合し、下側の外装材１８の上端部を逆Ｌ形保持部１９ｃに下から嵌め込み、最後にコーキング剤３０を充填することで、外装材１８を縦胴縁３に簡単且つ確実に固定できるものである。
【００２０】
しかして、横胴縁２と縦胴縁３とを胴縁連結金具４を用いて係止固定できるので、従来のような溶接による固定を行なわなくてもよくなり、横胴縁２と縦胴縁３との連結作業がきわめて簡単且つ確実なものとなる。また、コ字状の嵌め込み部５を縦胴縁３に対して容易に挿入できるようになり、しかも本例では嵌め込み部５と縦胴縁３との間の隙間Ｓによってスムーズに挿入ができ、且つ挿入後は弾接部１６（１６ａ，１６ｂ）によって縦胴縁３の寸法変動を吸収できる構造となる。そのうえビスで縦胴縁３に対して固定されるので、嵌め込み部５と縦胴縁３とが堅固に固定されることとなり、取付剛性を十分に高めることができる。
【００２１】
さらに縦胴縁３は鉄製以外に木製のものが使用可能であるため、縦胴縁３の種別選択範囲が広がるだけでなく、縦胴縁３によって外装材１８の背面の通気性が良くなり、そのうえ縦胴縁３を木製とすることで縦胴縁３が熱橋とならず、鉄製のＣチャンネル２Ａ（横胴縁）と外装材１８との間が熱的に遮断されることとなり、結果、断熱性能の向上及び結露発生の防止を図ることができる。
【００２２】
また、胴縁連結金具４の係止部６は横胴縁２の上端リップ部７及び下端リップ部８に引掛け係止されるので、リップ部７，８にビス穴などを穿設したりする必要がなく、したがってこの孔あけ作業が不要となり、また現場での孔の位置合わせも不要となる。また本例では、上側の抜け防止片１１を上下方向Ｂに撓み可能としたことで、上側の抜け防止片１１を上端リップ部７に対して容易に係止させることができるようなり、作業がきわめて効率的となる。
【００２３】
さらに、胴縁連結金具４を用いて横胴縁２と縦胴縁３の交差部分を互いに連結することによって、地震などにより外装材１８が揺動した場合でも、横胴縁２に対する縦胴縁３の動きが胴縁連結金具４によって止められるため、横胴縁２と縦胴縁３とからなる軸組体の強度がより堅固なものとなり、耐震性を向上させることができる利点もある。
【００２４】
なお、前記実施形態では、係止部６と嵌め込み部５とを１つずつ設けた場合を例示したが、他例として図３（ａ）（ｂ）に示すように、嵌め込み部５の両側に左右一対の係止部６，６を連設してもよい。本例では、前記実施形態の作用効果に加えて、縦胴縁３を挟んでその両側で係止部６，６がＣチャンネル２Ａにそれぞれ係止されることとなり、横胴縁２に対する係止部６，６の係止箇所が増え、確実で且つバランスの良い係止状態を得ることができる。
【００２５】
【発明の効果】
上述のように請求項１記載の発明にあっては、壁本体の屋外側の面にＣチャンネルよりなる横胴縁を取り付け、横胴縁よりも屋外側に縦胴縁を配置し、次いで横胴縁と縦胴縁との交差部分に胴縁連結金具を配置して、胴縁連結金具に設けた嵌め込み部を縦胴縁に嵌め込むと共に胴縁連結金具に設けた係止部を横胴縁に係止した後、縦胴縁に対して外装材を取り付けることを特徴とする。
【００２６】
また請求項２記載の発明にあっては、建築物の壁本体に外装材を取り付ける構造において、壁本体の屋外側の面に取り付けられるＣチャンネルよりなる横胴縁と、横胴縁よりも屋外側に配置され且つ外装材が取り付けられる縦胴縁と、横胴縁と縦胴縁との交差部分に配置されて上記横胴縁に係止される係止部と上記縦胴縁に嵌め込まれる嵌め込み部とが一体に設けられた胴縁連結金具とを具備してなることを特徴とする。
【００２７】
このような請求項１の方法、請求項２の構造を採用することで、横胴縁と縦胴縁とを胴縁連結金具を用いて係止固定でき、従来のような溶接による固定を行なわなくてもよいので、横胴縁と縦胴縁との連結作業がきわめて簡単且つ確実なものとなる。また木製の縦胴縁が使用可能となり、縦胴縁の種別選択範囲が広がるだけでなく、縦胴縁によって外装材の背面の通気性が良くなり、断熱性能の向上及び結露発生の防止を図ることができる。さらに地震などにより外装材が揺動した場合でも、横胴縁に対する縦胴縁の動きが胴縁連結金具によって止められているため、横胴縁と縦胴縁とからなる軸組体の連結強度が堅固なものとなり、耐震性にも優れたものとなる。
【００２８】
また請求項３記載の発明は、請求項２記載の効果に加えて、嵌め込み部の両側に左右一対の係止部がそれぞれ連設されているので、縦胴縁を挟んでその両側で係止部が横胴縁にそれぞれ係止固定されることとなり、横胴縁に対する係止部の係止箇所が増え、確実で且つバランスの良い係止状態を得ることができる。
【００２９】
また請求項４記載の発明は、請求項２又は請求項３記載の効果に加えて、係止部は、横胴縁を構成するＣチャンネルの上端リップ部及び下端リップ部の各背面にそれぞれ係止可能な上下複数の抜け防止片を備え、上側の抜け防止片又は下側の抜け防止片のいずれか一方が上下方向に撓み可能となっているので、胴縁連結金具の係止部を引掛け係止によってＣチャンネルの上端リップ部及び下端リップ部に取り付け可能となるため、リップ部にビス穴などを穿設する必要がなく、しかも、上下方向に撓み可能な抜け防止片をリップ部に容易に係止させることができるので、作業がより効率的なものとなる。
【００３０】
また請求項５記載の発明は、請求項２又は請求項３記載の効果に加えて、嵌め込み部は、縦胴縁の３面を囲むコ字状に形成されていると共に、縦胴縁に対してビス等で固定される固定部を備えているので、コ字状の嵌め込み部を縦胴縁に対して容易に嵌め込むことができ且つビスで縦胴縁に対して固定されるので、縦胴縁に対する嵌め込み部の取付剛性を十分に高めることができるものである。
【図面の簡単な説明】
【図１】本発明の実施形態の一例を示す断面図である。
【図２】（ａ）は同上の胴縁連結金具の正面図、（ｂ）は平面図である。
【図３】（ａ）は他の実施形態の胴縁連結金具の正面図、（ｂ）は平面図である。
【符号の説明】
１　壁本体
２　横胴縁
２Ａ　Ｃチャンネル
３　縦胴縁
４　胴縁連結金具
５　嵌め込み部
６　係止部
７　上端リップ部
７ａ　前面
７ｂ　背面
８　下端リップ部
８ａ　前面
８ｂ　背面
１１，１２　抜け防止片
１５　固定部
Ａ　屋外側
Ｂ　上下方向
【図１】
2004143875.tif 000003
【図２】
2004143875.tif 000004
【図３】
2004143875.tif 000005